(57)【要約】【課題】相手装置がＲＦＩＤタグ付き送信シートに対応していない場合であっても、ＲＦＩＤタグ内のデータを送信シートの記録内容と共に簡便な方法により送信することができる送信装置および送信プログラムを提供する。【解決手段】複合機３は、ＲＦＩＤタグ付きペーパーの記録内容をＲＦＩＤタグ付きペーパーに対応していないＦＡＸ機８、ユーザ端末装置６または複合機６０に送信するとき、ペーパーに記録された情報をスキャナにより読み取り、ＲＦＩＤタグに記録された情報をＲＦＩＤリーダ・ライタにより読み取り、読み取った情報をファクス、インターネットファクス、電子メール等の送信方法のうちユーザが選択した送信方法で送信する。【選択図】図１
2008047966.tif 000002
【特許請求の範囲】
【請求項１】
ＲＦＩＤタグ付き送信シートを用いて情報を送信する送信装置において、
前記送信シートに記録された第１の送信情報を読み取る第１の読取部と、
前記ＲＦＩＤタグに記録された第２の送信情報を読み取る第２の読取部と、
相手装置が前記ＲＦＩＤタグ付き送信シートに対応していない非対応機の場合における、少なくとも前記第２の送信情報の送信方法を指定する送信方法指定手段と、
前記少なくとも第２の送信情報を前記送信方法指定手段によって指定された送信方法で送信する送信制御手段とを備えたことを特徴とする送信装置。
【請求項２】
前記送信方法指定手段は、前記第１および第２の送信情報の送信方法を指定し、
前記送信制御手段は、前記第１および第２の送信情報を前記送信方法指定手段によって指定された送信方法で送信することを特徴とする請求項１に記載の送信装置。
【請求項３】
前記送信制御手段は、前記第１の送信情報は、予め定めた所定の送信方法で送信し、前記第２の送信情報は、前記送信方法指定手段によって指定された送信方法で送信することを特徴とする請求項１に記載の送信装置。
【請求項４】
前記送信方法指定手段は、前記第２の送信情報のうち送信する情報またはページを選択する選択部を備え、
前記送信制御手段は、前記選択部によって選択された前記情報または前記ページを指定された前記送信方法で送信することを特徴とする請求項１に記載の送信装置。
【請求項５】
前記送信方法指定手段は、前記送信方法として、ファクス、インターネットファクス、電子メールまたはファイル転送を指定することを特徴とする請求項１乃至４のいずれか１項に記載の送信装置。
【請求項６】
前記送信方法指定手段は、前記第２の送信情報を送信しない指定も可能であることを特徴とする請求項１に記載の送信装置。
【請求項７】
前記送信制御手段は、前記ＲＦＩＤタグのデータがパスワードを有するとき、前記パスワードの入力に基づいて前記送信方法指定手段によって指定された前記送信方法を実行することを特徴とする請求項１に記載の送信装置。
【請求項８】
ＲＦＩＤタグ付き送信シートを用いて情報を送信する送信方法をコンピュータに実行させるための送信プログラムにおいて、
前記送信シートに記録された第１の送信情報を読み取る第１の読取ステップと、
前記ＲＦＩＤタグに記録された第２の送信情報を読み取る第２の読取ステップと、
相手装置が前記ＲＦＩＤタグ付き送信シートに対応していない非対応機の場合における、少なくとも前記第２の送信情報の送信方法を指定する送信方法指定ステップと、
相手装置が前記非対応機の場合は、前記少なくとも第２の送信情報を前記送信方法指定ステップにて送信方法で送信する送信ステップとを含むことを特徴とする送信プログラム。
【発明の詳細な説明】
【技術分野】
【０００１】
本発明は、ＲＦＩＤ（Radio Frequency Identfication）タグ付きシートの記録内容を送信する送信装置および送信プログラムに関する。
【背景技術】
【０００２】
近年、パーソナルコンピュータ（ＰＣ）の普及に伴い、文字や図を紙に記録して得られる視認情報と、ＰＣが扱えるデジタル情報とを一体にして取り扱いたいという要求があり、例えば、ＲＦＩＤタグ付き印字用紙が提案されている。具体的には、送信元でＲＦＩＤタグ付き印字用紙から視認情報と共に読み出したデジタル情報を送信先へ送信し、送信先では受信した視認情報とデジタル情報を受信側のＲＦＩＤタグ付き印字用紙へ出力することで送信元の原稿を復元するファクシミリ装置が知られている（例えば、特許文献１参照。）。
【特許文献１】特開２００２−３３７４２６号公報
【発明の開示】
【発明が解決しようとする課題】
【０００３】
しかし、従来のファクシミリ装置によると、相手装置がＲＦＩＤタグ付き印字用紙に出力する機能を有していない装置の場合には、視認情報は出力できても、デジタル情報を出力できない。この場合、送信者がＲＦＩＤタグからデジタル情報を読み出し、それを一旦プリントアウトしてから送信しなければならないため、送信作業が煩わしい。
【０００４】
そこで、本発明の目的は、相手装置がＲＦＩＤタグ付き送信シートに対応していない場合であっても、ＲＦＩＤタグ内のデータを送信シートの記録内容と共に簡便な方法により送信することができる送信装置および送信プログラムを提供することにある。
【課題を解決するための手段】
【０００５】
本発明の第１の態様は、上記目的を達成するため、ＲＦＩＤタグ付き送信シートを用いて情報を送信する送信装置において、前記送信シートに記録された第１の送信情報を読み取る第１の読取部と、前記ＲＦＩＤタグに記録された第２の送信情報を読み取る第２の読取部と、相手装置が前記ＲＦＩＤタグ付き送信シートに対応していない非対応機の場合における、少なくとも前記第２の送信情報の送信方法を指定する送信方法指定手段と、前記少なくとも第２の送信情報を前記送信方法指定手段によって指定された送信方法で送信する送信制御手段とを備えたことを特徴とする送信装置を提供する。
【０００６】
前記送信方法指定手段は、前記第１および第２の送信情報の送信方法を指定し、前記送信制御手段は、前記第１および第２の送信情報を前記送信方法指定手段によって指定された送信方法で送信する構成とすることができる。この構成によれば、第１の送信情報と第２の送信情報とで異なる送信方法を指定することができる。
【０００７】
前記送信制御手段は、前記第１の送信情報は、予め定めた所定の送信方法で送信し、前記第２の送信情報は、前記送信方法指定手段によって指定された送信方法で送信する構成とすることができる。この構成により、送信方法の指定の手間を省くことができる。
【０００８】
前記送信方法指定手段は、前記第２の送信情報のうち送信する情報またはページを選択する選択部を備え、前記送信制御手段は、前記選択部によって選択された前記情報または前記ページを指定された前記送信方法で送信する構成とすることができる。この構成によれば、必要な情報のみを送信することができる。
【０００９】
前記送信方法指定手段は、前記送信方法として、ファクス、インターネットファクス、電子メールまたはファイル転送を指定してもよい。これにより、相手装置の受信性能に対応した送信方法を選択することが可能となる。
【００１０】
前記送信方法指定手段は、前記第２の送信情報を送信しない指定も可能としてもよい。
例えば、第２の送信情報に機密情報が含まれている場合は、機密情報の漏洩を防止することができる。
【００１１】
前記送信制御手段は、前記ＲＦＩＤタグのデータがパスワードを有するとき、前記パスワードの入力に基づいて前記送信方法指定手段によって指定された前記送信方法を実行する構成とすることができる。この構成によれば、データが不用意に送信されるのを防止することができる。
【００１２】
本発明の第２の態様は、上記目的を達成するため、ＲＦＩＤタグ付き送信シートを用いて情報を送信する送信方法をコンピュータに実行させるための送信プログラムにおいて、前記送信シートに記録された第１の送信情報を読み取る第１の読取ステップと、前記ＲＦＩＤタグに記録された第２の送信情報を読み取る第２の読取ステップと、相手装置が前記ＲＦＩＤタグ付き送信シートに対応していない非対応機の場合における、少なくとも前記第２の送信情報の送信方法を指定する送信方法指定ステップと、前記少なくとも第２の送信情報を前記送信方法指定ステップにて送信方法で送信する送信ステップとを含むことを特徴とする送信プログラムを提供する。
【００１３】
上記第１及び第２の態様によれば、相手装置が非対応機の場合は、少なくともＲＦＩＤタグの記録内容がユーザが指定した送信方法で送信されるので、ＲＦＩＤタグから記録内容を読み出し、それをプリントアウトして別途送信する手間を省くことができる。
【発明の効果】
【００１４】
本発明によれば、相手装置がＲＦＩＤタグ付き送信シートに対応していない場合であっても、ＲＦＩＤタグ内のデータを送信シートの記録内容と共に簡便な方法により送信することができる。
【発明を実施するための最良の形態】
【００１５】
［第１の実施の形態］
（通信システムの構成）
図１は、本発明の第１の実施の形態に係る通信システムを示す。この通信システム１は、ＬＡＮ（ローカルエリアネットワーク）等のネットワーク４に接続されたパーソナルコンピュータ（ＰＣ）等からなるユーザ端末装置２、及び送信装置としての複合機３と、ネットワーク４にインターネット５を介して接続されたＰＣ等からなるユーザ端末装置６と、複合機３に公衆電話網７を介して接続されたＦＡＸ（ファクシミリ）通信専用のＦＡＸ機８と、ＦＡＸ通信の中継網にインターネット５を利用したインターネットファクス（ｉＦＡＸ）に対応した複合機６０とを備えて構成されている。
【００１６】
（複合機の構成）
図２は、複合機３の構成を示す。この複合機３は、「コピー＋プリンタ＋ファクシミリ」や「コピー＋プリンタ＋ファクシミリ＋スキャナ」等の機能を有し、筐体を構成している本体１０と、本体１０内に設けられて指定のサイズ及び紙質の用紙に可視像による印刷を行う印刷部２０と、本体１０内に設けられて印刷部２０に供給される指定の用紙を収納する給紙部３０とを備えている。
【００１７】
本体１０には、ＲＦＩＤタグ付き送信シートとしてのＲＦＩＤタグ付きペーパー９や原稿がセットされる送信トレイ１１と、印刷部２０により印刷が終了した記録紙を排出する排紙トレイ１２と、送信トレイ１１からのＲＦＩＤタグ付きペーパー９や原稿を光学的に読み取る第１の読取部としてのスキャナ１３と、送信トレイ１１上のＲＦＩＤタグ付きペーパー９に対してデータの書き込み／読み出しを行う第２の読取部としてのＲＦＩＤリーダ・ライタ１４と、送信トレイ１１からのＲＦＩＤタグ付きペーパー９や原稿を排出する排紙台１５と、給紙部３０から印刷部２０へ搬送されるＲＦＩＤタグ付きペーパー９のＲＦＩＤタグにデータを書き込むＲＦＩＤライタ１６とが設けられている。
【００１８】
ＲＦＩＤタグ付きペーパー９は、外部から電源供給のほかデータの書き込み／読み出しが無線により行われる微小なＩＣチップによるＲＦＩＤタグ９１と、このＲＦＩＤタグ９１が所定の位置に設けられた送信シートとしてのペーパー９２からなる。
【００１９】
ＲＦＩＤタグ９１は、例えば、商品の詳細なスペック、商品の拡大写真、異なる角度から写した写真等の画像データ９０１やテキストデータ９０２の書き込み／読み出しが可能な不揮発性のメモリを備えている。また、ペーパー９２には、例えば、ＲＦＩＤタグ９１の記録内容に対する概要や外観の一部、送り状に相当する内容等の表記情報９３が印刷、手書き等により記載されている。
【００２０】
印刷部２０は、スキャナ１３による読取情報に基づいて光信号を生成する露光部２１と、露光部２１からの光を所定方向へ反射させるミラー２２と、ミラー２２からの光に基づいて表面に潜像が形成されるとともに該潜像にトナーによる可視像が形成される感光体ドラム２３と、感光体ドラム２３上のトナー像を給紙部３０からの用紙上に転写する転写部２４と、転写されたトナー像を用紙に熱及び加圧力により定着させる定着ローラ２５とを備える。
【００２１】
給紙部３０は、例えば、Ａ４，Ｂ４等のサイズの用紙がサイズ毎にセットされる用紙トレイ３２Ａ，３２Ｂと、データ書き込み前のＲＦＩＤタグ付きペーパー９がセットされるタグ付きペーパートレイ３３と、用紙トレイ３２Ａ，３２Ｂ及びタグ付きペーパートレイ３３から用紙又はＲＦＩＤタグ付きペーパー９を送り出す給紙ローラ３４と、この給紙ローラ３４によって送り出された用紙又はＲＦＩＤタグ付きペーパー９を印刷部２０へ搬送する複数の搬送ローラ３５とを備える。
【００２２】
複合機６０は、ＲＦＩＤタグ付きペーパー９には非対応なため、ＲＦＩＤリーダ・ライタ１４、ＲＦＩＤライタ１６、タグ付きペーパートレイ３３等は有しないが、その他は複合機３と同様に構成されている。
【００２３】
（複合機の制御系の構成）
図３は、複合機３の制御系を示す。この複合機３は、上記したスキャナ１３、ＲＦＩＤリーダ・ライタ１４、ＲＦＩＤライタ１６、印刷部２０、及び給紙部３０を備えるほか、複合機３の全体を制御するＣＰＵ４１と、ＣＰＵ４１を周辺構成に接続するバス４２と、各種のプログラムが格納されたＲＯＭ４３と、データやプログラムを一時的に記憶するＲＡＭ４４と、文書データや画像データ、図４Ａ、図４Ｂに示すようなプログラム等をＨＤ（ハードディスク）に記憶するＨＤＤ４５と、ネットワーク４に接続されたネットワーク通信部４７と、公衆電話網７に接続されたファクス通信部４８と、ユーザにより操作される操作表示部５０とを備える。
【００２４】
なお、ＣＰＵ４１、バス４２、ＲＯＭ４３、ＲＡＭ４４、ＨＤＤ４５、ネットワーク通信部４７、及びファクス通信部４８を含む構成は、送信制御手段を構成している。また、ＣＰＵ４１、バス４２、ＲＯＭ４３、ＲＡＭ４４、ＨＤＤ４５、操作表示部５０を含む構成は、送信方法指定手段を構成している。
【００２５】
ネットワーク通信部４７は、ユーザ端末装置２，６との間でメール等の通信を行うほか、複写機６０との間でｉＦＡＸの通信を行う構成を有する。
【００２６】
ファクス通信部４８は、スキャナ１３で読み取った情報をＧ３，Ｇ４規格等の通信モードに対応したファクスデータに変換してＦＡＸ機８へ公衆電話網７を介して送信し、また、ＦＡＸ機８から送信されたファクスデータを公衆電話網７を介して受信して処理する構成を有する。
【００２７】
操作表示部５０は、各種の設定／指定の入力結果や通信の状態等を表示する液晶表示器と、液晶表示器に設けられたタッチパネルと、スタートボタン、キャンセルボタン、テンキー、電源ボタン等の各種の機能キー等を有して、ユーザインターフェース（ＵＩ）を構成している。
【００２８】
（通信システムの動作）
次に、上記構成による通信システム１の動作を場合を分けて説明する。
【００２９】
（１）ＲＦＩＤタグ付きペーパー９への書込み動作
ＲＦＩＤタグ付きペーパー９にデータを書き込む場合、ユーザは、ＲＦＩＤタグ付きペーパー９に書き込み、或いは印刷する情報をユーザ端末装置２等で作成し、これを複合機３のＨＤＤ４５に保存する。次に、ユーザは、情報が書き込まれていないＲＦＩＤタグ付きペーパー９をタグ付きペーパートレイ３３にセットする。
【００３０】
次に、ユーザは、操作表示部５０を操作してＲＦＩＤタグ付きペーパー９への書き込みを指示する。この指示により、ＣＰＵ４１は、給紙ローラ３４及び搬送ローラ３５を駆動し、タグ付きペーパートレイ３３上のＲＦＩＤタグ付きペーパー９を印刷部２０へ搬送させる。ＲＦＩＤタグ付きペーパー９のＲＦＩＤタグ９１がＲＦＩＤライタ１６に到達すると、ＨＤＤ４５から読み出された書き込み情報がＲＦＩＤライタ１６によって、無線によりＲＦＩＤタグ９１にＰＤＦ（Portable Document Format）等のデータ保存形式により書き込まれる。
【００３１】
ＲＦＩＤタグ９１に画像データ９０１及びテキストデータ９０２の書き込みが終了すると、ＲＦＩＤタグ付きペーパー９は印刷部２０に送られ、印刷部２０により表記情報９３がＲＦＩＤタグ付きペーパー９の表面に印刷される。表記情報９３の印刷が終了したＲＦＩＤタグ付きペーパー９は、排紙トレイ１２へ排出される。
【００３２】
（２）複合機３の送信動作
上記のようにペーパー９２の表面に表記情報９３が印刷され、ＲＦＩＤタグ９１にデータ９０１，９０２が書き込み済みのＲＦＩＤタグ付きペーパー９による複合機３の送信動作について説明する。
【００３３】
図４Ａ及び図４Ｂは、通信システム１の動作を示す。まず、ユーザは、図４Ａに示すように、記載面を下にしてＲＦＩＤタグ付きペーパー９を送信トレイ１１にセットする（Ｓ１０１）。次に、ユーザは、複合機３の操作表示部５０で「ＲＦＩＤタグ付きペーパーの送信」を選択する（Ｓ１０２）。続いて、ユーザは、複合機３の操作表示部５０で「ＲＦＩＤタグ付きペーパーの非対応機への送信」選択し（Ｓ１０３：ＹＥＳ）、さらに操作表示部５０により、ＦＡＸ、ｉＦＡＸ、メールのいずれの送信方法にするかを選択する（Ｓ１０４）。
【００３４】
なお、上記ステップＳ１０３において、「ＲＦＩＤタグ付きペーパーの非対応機への送信」選択しない場合は（Ｓ１０３：ＮＯ）、キャンセルボタンを押下した場合は（Ｓ１３１：ＹＥＳ）、後述するステップＳ１０９のキャンセル処理へ進み、キャンセルボタンを押下していない場合は（Ｓ１３１：ＮＯ）、上記ステップＳ１０２に戻る。
【００３５】
ユーザは、ＦＡＸ送信を選択したときは（Ｓ１０５）、操作表示部５０により送信先の電話番号を入力し（Ｓ１１０）、ｉＦＡＸ送信を選択したときは（Ｓ１０６）、複合機６０のメールアドレスを入力し（Ｓ１１１）、メール送信を選択したときは（Ｓ１０７）、ユーザ端末装置６のメールアドレスを入力する（Ｓ１１２）。また、いずれの送信方法も選択されず、ユーザによりキャンセルボタンが押下された場合（Ｓ１０８：ＹＥＳ）、ＣＰＵ４１はキャンセル処理を実行した後（Ｓ１０９）、処理を終了する。
【００３６】
ＲＦＩＤタグ９１およびペーパー９２からそれぞれ読み出された情報がＦＡＸ送信されると、対応機では、受信データのうちＲＦＩＤタグ９１への書込みデータがＲＦＩＤタグに書き込まれ、ペーパー９２への書込みデータがペーパーに書き込まれてＲＦＩＤタグ付きペーパー９が復元される。
【００３７】
上記ステップＳ１１０〜Ｓ１１２の処理が終了すると、ＣＰＵ４１はスキャナ１３で読み取ったペーパー９２の表記情報９３を送信するサイズを選択し（Ｓ１１３）、ＲＦＩＤタグ９１のデータ９０１，９０２を送信するサイズを選択する（Ｓ１１４）。なお、ペーパー９２の送信サイズのデフォルトは、元のペーパー９２のサイズであり、ＲＦＩＤタグ９１のデータを送信する送信サイズのデフォルトは、データ９０１，９０２の読み出し時のペーパーサイズである。
【００３８】
次に、処理は図４Ｂに示すステップＳ１１５へ移行し、ＣＰＵ４１は、ユーザによるキャンセルボタンの押下の有無を判定する（Ｓ１１５）。ユーザによりキャンセルボタンが押下されれば（Ｓ１１５：ＹＥＳ）、キャンセル処理を実行し（Ｓ１３５）、全ての処理を終了する。また、キャンセルボタンが押下されなければ（Ｓ１１５：ＮＯ）、ユーザによるスタートボタンの押下の有無を判定する（Ｓ１１６）。スタートボタンが押下されれば（Ｓ１１６：ＹＥＳ）、ＲＦＩＤタグ９１のデータ９０１，９０２をＲＦＩＤリーダ・ライタ１４で読み取り（Ｓ１１７）、また、スキャナ１３によりペーパー９２の表記情報９３を読み取る（Ｓ１１８）。ここで、キャンセルボタンの押下の有無を判定し（Ｓ１１９）、キャンセルボタンが押下されれば（Ｓ１１９：ＹＥＳ）、キャンセル処理を実行して（Ｓ１２０）処理を終了する。
【００３９】
上記ステップＳ１１９でキャンセルボタンが押下されなければ（Ｓ１１９：ＮＯ）、送信方法がＦＡＸか（Ｓ１２１）、ｉＦＡＸか（Ｓ１２２）、メールか（Ｓ１２３）に応じて相手装置との接続を実行し、ＦＡＸ送信（Ｓ１２４）、ｉＦＡＸ送信（Ｓ１２５）、またはメール送信（Ｓ１２６）を実行する。ついで、キャンセルボタンの押下の有無を判定し（Ｓ１２７）、キャンセルボタンが押下されれば（Ｓ１２７：ＹＥＳ）、キャンセル処理（Ｓ１２８）を実行して処理を終了する。また、キャンセルボタンが押下されなければ（Ｓ１２７：ＮＯ）、送信の完了を判定する（Ｓ１２９）。送信完了であれば（Ｓ１２９：ＹＥＳ）、送信完了のメッセージを操作表示部５０に表示して（Ｓ１３０）処理を終了する。
【００４０】
なお、ＲＦＩＤタグ付きペーパー９ではなく、ペーパーのみからなる通常の送り状や原稿に対する送信は、図４Ａ及び図４Ｂにおいて、ステップＳ１１４、Ｓ１１７の処理をパスしたフローにより実行される。
【００４１】
（第１の実施の形態の効果）
第１の実施の形態によれば、下記の効果を奏する。
（イ）ＲＦＩＤタグ付きペーパー９に対応していない相手装置へＲＦＩＤタグ付きペーパー９の内容を送信することができる。
（ロ）ＲＦＩＤタグ付きペーパー９のＲＦＩＤタグ９１のデータ部分が読み取られ、送信方法に応じて送信されるため、従来必要であったＲＦＩＤタグ９１のデータを取り出して別途送信する手間を省くことができる。
【００４２】
［第２の実施の形態］
図５及び図６は、本発明の第２の実施の形態に係る通信システムの処理を示す。本実施の形態は、第１の実施の形態において、ＲＦＩＤタグ９１の画像データ９０１及びテキストデータ９０２を、送信後も消去せずに複合機３に蓄積しておき、必要なときに他の送信先へ送信できるようにしたものであり、その他の処理及び通信システム１のハードウェア構成は、第１の実施の形態と同様である。
【００４３】
図５は、データ蓄積前の処理を示す。まず、第１の実施の形態で説明したステップＳ１０１〜Ｓ１１５の処理が実行される（Ｓ２００）。次に、ＣＰＵ４１は、スタートボタンの押下前にＲＦＩＤタグ９１のデータ９０１，９０２を蓄積するか否かを確認する表示を操作表示部５０に表示させる（Ｓ２０１）。ここで、ＣＰＵ４１は、キャンセルボタンの押下の有無を判定し（Ｓ２０２）、キャンセルボタンが押下されれば（Ｓ２０２；ＹＥＳ）、キャンセル処理を実行し（Ｓ２１０）、処理を終了する。また、キャンセルボタンが押下されなければ（Ｓ２０２：ＮＯ）、ＣＰＵ４１はデータ蓄積をするか否かを判定し（Ｓ２０３Ａ,Ｓ２０３Ｂ）、蓄積を実行する場合には（Ｓ２０３Ａ：ＮＯ,Ｓ２０３Ｂ：ＹＥＳ）、「蓄積ボックスＮｏ．」の選択画面を操作表示部５０に表示する（Ｓ２０４）。この表示を見たユーザは、操作表示部５０のタッチパネルにより「蓄積ボックスＮｏ．」を入力する。
【００４４】
上記ステップＳ２０４の処理の後、キャンセルボタンの押下の有無を判定し（Ｓ２０５）、キャンセルボタンが押下されれば（Ｓ２０５：ＹＥＳ）、ＣＰＵ４１はキャンセル処理を実行し（Ｓ２１１）、処理を終了する。キャンセルボタンが押下されなければ（Ｓ２０５：ＮＯ）、「蓄積ボックスＮｏ．」の選択の有無を判定し（Ｓ２０６）、「蓄積ボックスＮｏ．」を選択後（Ｓ２０６：ＹＥＳ）、ステップＳ１１６〜Ｓ１２９の処理を実行する（Ｓ２０７）。ついで、ＣＰＵ４１は、ＲＦＩＤタグ９１のデータ９０１，９０２をＨＤＤ４５の指定の「蓄積ボックスＮｏ．」に格納する（Ｓ２０８）。次に、ＣＰＵ４１は、処理完了のメッセージを操作表示部５０に表示し（Ｓ２０９）、蓄積処理を終了する。
【００４５】
図６は、図５の様にして蓄積したデータの蓄積後の処理を示す。まず、ユーザは、操作表示部５０を操作して「ＩＣタグ付きペーパーの送信」を選択する（Ｓ３０１）。この操作に対し、ＣＰＵ４１は、操作表示部５０に「ＲＦＩＤタグ付きペーパーの読み取り」及び「蓄積データの送信」のメッセージを表示する（Ｓ３０２）。この表示を見たユーザはタッチパネルにより「蓄積データの送信」を選択し、更に、「蓄積ボックスＮｏ．」を選択する（Ｓ３０３）。なお、暗証番号が設定されている場合には、暗証番号を入力する。また、ユーザは操作表示部５０により、ＦＡＸ、ｉＦＡＸ、またはメールの１つを送信方法として選択する（Ｓ３０４）。
【００４６】
上記ステップＳ３０４の処理の後、ＣＰＵ４１は、第１の実施の形態で説明したステップＳ１１０〜Ｓ１２９の処理を実行する（Ｓ３０５）。次に、ＣＰＵ４１は、蓄積データの消去の有無をユーザに確認させるための画面を操作表示部５０に表示する（Ｓ３０６）。この表示により、ユーザは、必要に応じて消去を指示することができる。次に、ＣＰＵ４１は蓄積データ消去の指示の有無を判定し（Ｓ３０７）、ユーザにより消去が選択された場合には（Ｓ３０７：ＹＥＳ）、ＨＤＤ４５の蓄積データを消去する（Ｓ３０８）。そして、処理完了のメッセージを操作表示部５０に表示して（３０９）処理を終了する。また、蓄積データの消去の指示が無かった場合（Ｓ３０７：ＮＯ）、処理を終了する。
【００４７】
上述した第２の実施の形態によれば、ＲＦＩＤタグ付きペーパー９のＲＦＩＤタグ９１から読み取ったデータ９０１，９０２を、１回目の送信完了時点ではユーザの指示に応じて消去せずに蓄積しておき、この蓄積データを第三者等への送信に用いることができる。このため、再送信する場合の作業が簡単になる。
【００４８】
［第３の実施の形態］
図７Ａ及び図７Ｂは、本発明の第３の実施の形態に係る通信システムの処理を示す。本実施の形態は、ＦＡＸ送信中に相手装置がＲＦＩＤタグ付きペーパー９に非対応であることが判明したとき、第１の実施の形態のＦＡＸ送信方法に自動的に切り替えるようにしたものであり、その他の処理及び通信システム１のハードウェア構成は、第１の実施の形態と同様である。
【００４９】
まず、ユーザは、記載面を下にしてＲＦＩＤタグ付きペーパー９を送信トレイ１１にセットする（Ｓ１０１）。次に、相手装置がＲＦＩＤタグ付きペーパーに非対応であるとき、ＣＰＵ４１は、「通常のＦＡＸ送信に自動切換え」を選択する（Ｓ４０１）。
【００５０】
次に、ユーザは、操作表示部５０を操作して、「ＲＦＩＤタグ付きペーパーのＦＡＸ送信」を選択する（Ｓ４０２）。ここで、ＣＰＵ４１はキャンセルボタンの押下の有無を判定し（Ｓ４０３）、キャンセルボタンが押下されれば（Ｓ４０３：ＹＥＳ）、キャンセル処理を実行し（Ｓ４１１）、処理を終了する。キャンセルボタンが押されなければ（Ｓ４０３：ＮＯ）、スタートボタンが押下されたか否かを判定する（Ｓ４０４）。スタートボタンが押下されれば（Ｓ４０４：ＹＥＳ）、ＲＦＩＤタグ９１のデータ９０１，９０２の読み取り（Ｓ４０５）、及びペーパー９２の表記情報９３の読み取り（Ｓ４０６）を順次実行する。
【００５１】
次に、処理は図７ＢのステップＳ４０７に移行し、ＣＰＵ４１は、公衆電話網７を介して相手装置と交信する（Ｓ４０７）。相手装置がＦＡＸ機８であれば、ＲＦＩＤタグ付きペーパー９に非対応であることが判明するので（Ｓ４０８）、一般のＦＡＸ送信に切り替え（Ｓ４０９）、送信を開始する（Ｓ４１０）。更に、ＣＰＵ４１は、図４Ｂで説明したステップＳ１２７〜Ｓ１３０の処理を実行し、全ての処理を終了する。
【００５２】
上述した第３の実施の形態によれば、ＦＡＸ送信中に相手装置がＲＦＩＤタグ付きペーパー９に非対応であることが判明したとき、第１の実施の形態のＦＡＸ送信方法に自動的に切り替えられるため、送信のやり直しをする必要がなく、送信作業の煩わしさを解消することができる。
【００５３】
なお、第３の実施の形態において、上記ステップＳ４０９、Ｓ４１０の処理においては、ペーパー９２の表記情報９３とＲＦＩＤタグ９１のデータ９０１，９０２をまとめて送付しているが、ユーザの設定により、以下のようにすることも可能である。
（ｉ）設定によりペーパー９２の表記情報９３のみを送付する。
（ii）ＲＦＩＤタグ９のデータ９０１，９０２を蓄積し、送付したい部分のみを選択できるようにし、その選択部分のみを送付する。
（iii）受信側がＲＦＩＤタグ付きペーパー９に非対応の場合、予め入力されたメールアドレスへ転送する。
【００５４】
［第４の実施の形態］
図８Ａ及び図８Ｂは、本発明の第４の実施の形態に係る通信システムの処理を示す。本実施の形態は、ＲＦＩＤタグ９１のデータにパスワードが有る場合の処理であり、その他の処理及び通信システム１のハードウェア構成は、第１の実施の形態と同様である。
【００５５】
まず、ユーザは、操作表示部５０のタッチパネルを操作して、「ＲＦＩＤタグ付きペーパーのパスワード入力」を選択する（Ｓ５０１）。この操作に対してＣＰＵ４１は、操作表示部５０にパスワード入力画面を表示させる（Ｓ５０２）。この表示に従って、ユーザはパスワードを入力する。次に、ＣＰＵ４１は、キャンセルボタンの押下の有無を判定し（Ｓ５０３）、キャンセルボタンが押下されれば（Ｓ５０３：ＹＥＳ）、キャンセル処理を実行し（Ｓ５１７）、処理を終了する。また、キャンセルボタンが押下されなければ（Ｓ５０３：ＮＯ）、ＣＰＵ４１は、パスワード入力の有無を判定する（Ｓ５０４）。
【００５６】
次に、ユーザは、ＲＦＩＤタグ付きペーパー９を送信トレイ１１にセットする（Ｓ５０５）。次に、ＣＰＵ４１は、図４ＡのステップＳ１０１〜Ｓ１１６の処理を実行する（Ｓ５０６）。その後、キャンセルボタンの押下の有無を判定し（Ｓ５０７）、キャンセルボタンが押下されれば（Ｓ５０７：ＹＥＳ）、キャンセル処理を実行し（Ｓ５１８）、処理を終了する。また、キャンセルボタンが押下されなければ（Ｓ５０７：ＮＯ）、ＣＰＵ４１は、スタートボタンの押下の有無を判定し（Ｓ５０８）、スタートボタンが押下されれば（Ｓ５０８：ＹＥＳ）、処理を図８ＢのステップＳ５０９に進める。
【００５７】
ステップＳ５０９では、ＣＰＵ４１がＲＦＩＤリーダ・ライタ１４を動作させてＲＦＩＤタグ９１のデータ９０１，９０２の読み取りを行う（Ｓ５０９）。次に、ＣＰＵ４１は、パスワードが一致するか否かを判定し（Ｓ５１０）、一致する場合は（Ｓ５１０：ＹＥＳ）、スキャナ１３によりペーパー９２の表記情報９３の読み取りを行う（Ｓ５１１）。その後、ＣＰＵ４１は、ステップＳ１１９〜Ｓ１３０の処理を実行し（Ｓ５１２）、処理を終了する。
【００５８】
また、上記ステップＳ５１０でパスワードの不一致が判定された場合（Ｓ５１０：ＮＯ）、ＣＰＵ４１は、不一致のメッセージと、パスワードの入力を促すパスワード入力画面を操作表示部５０に表示する（Ｓ５１３）。これに応じて、ユーザがパスワードを入力すると、ＣＰＵ４１はパスワードが一致するか否かを判定する（Ｓ５１４）。パスワードが一致した場合は（Ｓ５１４：ＹＥＳ）、ステップＳ５１１以降の処理を実行し、不一致の場合は（Ｓ５１４：ＮＯ）、不一致の判定が３回発生したか否かを判定する（Ｓ５１５）。不一致の判定が３回出た場合（Ｓ５１５：ＹＥＳ）、キャンセル処理を実行し（Ｓ５１６）、全ての処理を終了する。なお、ステップＳ５１５における判定回数は、３回に限定されるものではなく、任意の回数にすることができる。
【００５９】
上述した第４の実施の形態によれば、ＲＦＩＤタグ９１のデータ９０１，９０２にパスワードがある場合、ユーザからのパスワード入力を受け付けることで、読み取り及び送信処理が実行されるため、データが不用意に送信されるのを防止することができる。
【００６０】
なお、第４の実施の形態において、ＲＦＩＤタグ付きペーパー９のＲＦＩＤタグ９１のデータ９０１，９０２とペーパー９２の表記情報９３を読み取り、これらを送信したい順序に並べ変えて送信することも可能である。例えば、ＲＦＩＤタグ９１のデータ９０１，９０２が複数のページからなるとき、先に見てほしいページを最初に送信するなどのケースがある。
【００６１】
［他の実施の形態］
なお、本発明は、上記各実施の形態に限定されず、本発明の技術思想を逸脱あるいは変更しない範囲内で種々な変形が可能である。
【００６２】
例えば、上記各実施の形態では、本発明を複合機に適用した場合について説明したが、ファクシミリ専用装置等にも適用することができる。
【００６３】
また、上記各実施の形態では、ＲＦＩＤタグ付きペーパー９から情報を読み取るとき、ＲＦＩＤタグ付きペーパー９を送信トレイ１１にセットしたが、プラテン上に載置してもよい。
【００６４】
また、上記各実施の形態では、相手装置が対応機か非対応機かを複合機のＣＰＵが判断したが、ユーザが判断し、その結果を入力させ、ＣＰＵがその入力に応じて送信制御を行ってもよい。
【図面の簡単な説明】
【００６５】
【図１】本発明の第１の実施の形態に係る通信システムを示す構成図である。
【図２】図１の複合機の構成を示す構成図である。
【図３】複合機の制御系を示すブロック図である。
【図４Ａ】第１の実施の形態に係る通信システムの処理を示すフローチャートである。
【図４Ｂ】図４Ａの処理に続くフローチャートである。
【図５】本発明の第２の実施の形態に係る通信システムにおけるデータ蓄積前の処理を示すフローチャートである。
【図６】第２の実施の形態におけるデータ蓄積後の処理を示すフローチャートである。
【図７Ａ】本発明の第３の実施の形態に係る通信システムの処理を示すフローチャートである。
【図７Ｂ】図７Ａの処理に続くフローチャートである。
【図８Ａ】本発明の第４の実施の形態に係る通信システムの処理を示すフローチャートである。
【図８Ｂ】図８Ａの処理に続くフローチャートである。
【符号の説明】
【００６６】
１  通信システム
２  ユーザ端末装置
３  複合機
４  ネットワーク
５  インターネット
６  ユーザ端末装置
７  公衆電話網
８  ＦＡＸ機
９  ＲＦＩＤタグ付きペーパー
１０  本体
１１  送信トレイ
１２  排紙トレイ
１３  スキャナ
１４  ＲＦＩＤリーダ・ライタ
１５  排紙台
１６  ＲＦＩＤライタ
２０  印刷部
２１  露光部
２２  ミラー
２３  感光体ドラム
２４  転写部
２５  定着ローラ
３０  給紙部
３２Ａ，３２Ｂ  用紙トレイ
３３  タグ付きペーパートレイ
３４  給紙ローラ
３５  搬送ローラ
４１  ＣＰＵ
４２  バス
４３  ＲＯＭ
４４  ＲＡＭ
４５  ＨＤＤ
４７  ネットワーク通信部
４８  ファクス通信部
５０  操作表示部
６０  複合機
９１  ＲＦＩＤタグ
９２  ペーパー
９３  表記情報
９０１  画像データ
９０２  テキストデータ
【図１】
2008047966.tif 000003
【図２】
2008047966.tif 000004
【図３】
2008047966.tif 000005
【図４Ａ】
2008047966.tif 000006
【図４Ｂ】
2008047966.tif 000007
【図５】
2008047966.tif 000008
【図６】
2008047966.tif 000009
【図７Ａ】
2008047966.tif 000010
【図７Ｂ】
2008047966.tif 000011
【図８Ａ】
2008047966.tif 000012
【図８Ｂ】
2008047966.tif 000013